(57)【要約】      （修正有）【課題】使用者の目前にロ−ル収納が可能に配置することにより、ロ−ルの残数を何時も容易に確認ができ、またロ−ルが必要になれば、即一巻を収納器から取り出して、ロ−ルディスペンサ−に補給し、また収納器のロ−ル残数が減少すれば、すぐに追加が可能な残数管理兼供給機能を有するトイレットペ−パロ−ル収納器を提供する。【解決手段】トイレットペーパーロール収納器１００の前面に残数確認窓１１４を設け、ロール１１２の補充を容易にする。【選択図】図１
2007044463.tif 000002
【特許請求の範囲】
【請求項１】
トイレットペ−パロ−ルを使用者の目で見える場所に収容し、任意のタイミングに取り出すことが出来る構造のトイレットペ−パロ−ル収納器。
【請求項２】
［請求項１］で、トイレットペ−パロ−ルの残数が外から容易に確認出来るために設けた縦長の残数確認窓１１４を持つ構造。
【請求項３】
［請求項１］において、積み上げられているトイレットペ−パロ−ルを最下段から取り出すに当たり、全部のロ−ルを最初に若干引き上げて、最下段の取り出し予定ロ−ルは外して、他の上部ロ−ルの下降を押さえて、次に全部のロ−ルを若干引き上げていた力を抜くと、最下部のロ−ルのみがフリ−になり、取り出しが可能な構造と手法。
【請求項４】
［請求項１］でコ−ナに設置されたトイレットペ−パロ−ル収納器のワンタッチ設置、及び除去が可能なトイレットペ−パロ−ル収容器に固着しているＬ字型のスタンドとスペ−サの構造。
【請求項５】
［請求項１］において、トイレットペ−パロ−ル収納器を平面壁面に設置するためのワンタッチ着脱が可能な固着方法と構造。
【発明の詳細な説明】
【技術分野】
【０００１】  本発明は、トイレットペ−パ−ロ−ルの欠品防止と追加作業の効率化を図る方法および構造を提供する。
【背景技術】
【０００２】  現在、トイレットペ−パ−ロ−ルの追加は、現用品がなくなる前、又は無くなってから、空になっている紙管を排除して、頭上の棚とか、目前の三角棚などから新品を取り出して一巻づつをペ−パ−デスィスペンサ−に補給している。前記の補給方法を従来は使用者面前の三角棚を置く位置または垂直壁面に配置ができ、複数巻予備のロ−ルをストックできる手法と器具を提供する。【０００３】  ［特許文献１］にロ−ルを横向きにして、縦に６個を積み重ねて収容が可能な布製の袋上部の開口部から新たにロ−ルを投入し、最下部ロ−ル−位置のみに開けられている左右の開口部からロ−ルを取り出すことが出来る構造のものがある。【０００４】  ［特許文献２］は、一列にロ−ルを縦置きにして６個積み上げて、３列収容すると合計１８ロ−ルが収容可能な箱型のケ−スがあり、該箱の下部の扉を開けてロ−ルの取り出しが可能なものがある。【０００５】  ［特許文献３］は、中空の円筒形内部にロ−ル何個かを縦に収納し、最下部の床を傾倒させて、一層目のロ−ルを掴み出す手法がある。【０００６】
【特許文献１】特許公開番号：特開２０００−１５２８９３
【特許文献２】特許公開番号：特開２００５−１６９０３０
【特許文献３】特許公開番号：特開平９−１５４７６７
【発明の開示】
【発明が解決しようとする課題】
【０００７】  従来、トイレットペ−パ−ロ−ルの補充は、気を使う問題であり、また、誰でもが経験していると思われる欠品問題は、一般家庭や、ホテル等でも困惑することがあり、補充問題には相当に神経を使い、かつ労力を費やしている。
【課題を解決するための手段】
【０００８】  トイレットペ−パ−ロ−ル５巻ほどの予備品を、目の前に常時ストックできるトイレットペ−パ−ロ−ル収納器１００を提供するすることにより、５巻のロ−ルが消費される長い時間のうちに任意に新品の追加が出来て、欠品を起こさない構造と手段を提供する。
【発明の効果】
【０００９】  一般家庭で、最悪、ロ−ルを使用する段階になって初めてロ−ルの欠品に気付き、頭上の棚などから補充を余儀なくされる場合などでは、悲惨なことになるが、目の前に最大でも５巻のロ−ルがストックされているので、うっかりしていてディスペンサ−のロ−ル欠品に気付かなくても安心である。【００１０】  トイレットペ−パ−ロ−ル収納器１００の５巻全てが無くなるまでには、必ず気付き補充されるので欠品は起こり難い。。【００１１】  ホテルや興行場の如く、不特定多数が使用するトイレに新品を補充する場合も、２日に１回などの合理化も出来る。ただし、清掃等の他業務時に欠品の確認は必要である。【００１２】  目の前に該トイレットペ−パ−ロ−ル収納器が、配置されていると、自然にトイレットペ−パ−ロ−ルの残数確認行動になり、利用者本人も補充者も常に気に掛ける。【００１３】  ロ−ル予備品の置き場所が、明確になり、すっきりとしたトイレになる。
【発明を実施するための最良の形態】  この発明の実施形態を［図１］及び［図２］に基づいて説明する。  ［図１］、［図２］の解説【００１４】  トイレットペ−パ−ロ−ル収納器１００は、円筒状の該器をＦＬ１２６に垂直に立て、下部に台座１１３を内包させ、［図１］では、マジックテ−プ１１９及び同１２０により、壁に固着させ、かつ円筒の上部は、開口部となっている。【００１５】  該開口部からロ−ル１１２の追加品を下向きに投入すると、円筒の内部は空洞になっているので、ロ−ルは、台座の上面まで落ちて止まり、次に第２個目のロ−ルを前記同様に投入すると、第１個目のロ−ルの上で止まる。以下、同様にして第５個目まで投入すると満杯になり、ロ−ルの頭が若干円筒の上部に見える状態になる。収納個数は任意の数に設定して製作が出来る。【００１６】  トイレットペ−パ−ロ−ル収納器１００の下部は、トイレットペ−パ−ロ−ル１１２の１巻の高さと、第二番目ロ−ルの３０％ほどの高さまでが、外殻１１１が１８５度ほど切り欠きと成っており、先ず指掛け１２２に人差し指を差込みロ−ル５巻全てを指で引き上げたままで、押え部分１１５を他の指で押えておき、１２２の押上を若干緩和させながらながら、取り出し口１１６のところに見えている最下部のロ−ルの取り出しが可能な構造になっている。【００１７】  前記の作業が終了すると、丁度、俗に言う「達磨落とし」の如く残４巻のロ−ルは、全てが台座１１３の表面まで下降する。当然、最上部は、ロ−ル１巻分の空席が発生すると、最上部分の空席確認窓１１４から見ると、内部にロ−ルは空席であることが確認できる。【００１８】  ロ−ルの補充は、全てが空席になるまでの長い時間内に実施すれば良い。  トイレットペ−パ−ロ−ル収納器１００は、角壁コ−ナのスタンド１２５の両開放端で支えられて前のめりを防止し、またスペ−サにより、上部が壁側への倒れこみ防ぎ、自立していることにより、掃除などに際しては、容易に該器全てを簡単に移動させることが出来る構造である。【００１９】  また、［図２］は基本的な機能は［図１］と全く同じであるが、該器を壁面への取り付け方が異なる。平面の壁面に設置する手法として、前記のスタンド１２５を使わずに、該器の壁側の上下に専用のマジックテ−プＡ１１９及び同１２０を使用して固着する。基本的な使用法は、［図１］の前記説明と同様である。
【図面の簡単な説明】
【００２０】
【図１】は、本発明の実施形態を示す図で、平面壁用途のトイレットペ−パ−ロ−ル収納器の三面図である。
【００２１】
【図２】は、本発明の実施形態を示す図で、コ−ナ用途のトイレットペ−パ−ロ−ル収容器の三面図である。
【符号の説明】
【００２２】１００・・・・・トイレットペ−パ−ロ−ル収納器    １１１・・・・・外殻    １１２・・・・・トイレットペ−パ−ロ−ル    １１３・・・・・台座    １１４・・・・・残数確認窓    １１５・・・・・押え部分    １１６・・・・・取り出し口    １１７・・・・・追加投入口    １１８・・・・・両面粘着材Ａ    １１９・・・・・マジックテ−プＡ    １２０・・・・・マジックテ−プＢ    １２１・・・・・両面粘着材Ｂ    １２２・・・・・指掛け    １２３・・・・・スペ−サ    １２４・・・・・壁面    １２５・・・・・スタンド    １２６・・・・・ＦＬ
【図１】
2007044463.tif 000003
【図２】
2007044463.tif 000004